(57)【要約】【課題】細塵室に溜まった細塵が、気流によって舞い上げられ、フィルタに付着することを防ぐことにより、吸込み力の低下を防ぐこと。【解決手段】粗塵と空気とを分離する第１の塵埃分離手段３６と、細塵と空気とを分離する第２の塵埃分離手段３７（フィルタ）と、第２の塵埃分離手段３７により分離されたより細塵を溜める細塵室３２と、第１の塵埃分離手段３６と第２の塵埃分離手段３７との間の流路の一部を塞ぐ舞い上げ気流防止板３４を設け、第１の塵埃分離手段３６と舞い上げ気流防止板３４との間に細塵が入るのを防ぐ細塵入り込み防止手段４６を設けた電気掃除機とすることにより、第１の塵埃分離手段３６と舞い上げ気流防止板３４との間に入り込んだ細塵が舞い上がり、第２の塵埃分離手段３７に再付着することを低減させ、第２の塵埃分離手段３７の目詰まりによる吸込み性能の低下を防止することができる。【選択図】図２
2008264098.tif 000002
【特許請求の範囲】
【請求項１】
電動送風機を内包する本体と、前記電動送風機の上流側に設置され電動送風機により吸引した塵埃を含む空気を導入する集塵ケースと、この集塵ケース内の吸引経路に配置され吸引した塵埃を含む空気より粗塵を分離する第１の塵埃分離手段と、前記集塵ケースの本体部に着脱可能に設けられこの第１の塵埃分離手段を通過した塵埃を分離する第２の塵埃分離手段と、前記第２の塵埃分離手段の略下方になるよう前記集塵ケースの本体部に設けられた前記第２の塵埃分離手段で分離した細塵を溜める細塵室とを有し、前記細塵室の上流に、前記第１の塵埃分離手段と前記第２の塵埃分離手段との間の流路の一部を塞ぐ舞い上げ気流防止板を設け、前記第１の塵埃分離手段と前記舞い上げ気流防止板との間に細塵が入るのを防ぐ細塵入り込み防止手段を設けた電気掃除機。
【請求項２】
細塵入り込み防止手段は、第１の塵埃分離手段と舞い上げ気流防止板の間に設けられ、ネット部を有する請求項１に記載の電気掃除機。
【請求項３】
ネット部は、第１の塵埃分離手段から舞い上げ気流防止板にむけて下方に傾斜するよう構成した請求項２に記載の電気掃除機。
【請求項４】
細塵入り込み防止手段は、舞い上げ気流防止板の少なくとも一部が、上部が第１の塵埃分離手段寄りになるよう傾斜する構成とした請求項１から３のいずれか１項に記載の電気掃除機。
【請求項５】
細塵入り込み防止手段は、第２の塵埃分離手段を略垂直に構成する、または、上部が舞い上げ気流防止板から離れるよう傾斜する構成とした請求項１から４のいずれか１項に記載の電気掃除機。
【請求項６】
細塵入り込み防止手段は、第２の塵埃分離手段と舞い上げ気流防止板の間に隙間を設けて構成した請求項１から５のいずれか１項に記載の電気掃除機。
【発明の詳細な説明】
【技術分野】
【０００１】
本発明は、塵埃と空気を分離するフィルタなどの塵埃分離手段を有する電気掃除機に関するものである。
【背景技術】
【０００２】
従来、この種の電気掃除機は、図１３に示すように、本体１に、塵埃を含む空気が流れ込む吸引口２と、粗塵と空気とを分離するネット状のフィルタ３と、フィルタ３の下流に、細塵と空気とを分離するプリーツ状のフィルタ４と、フィルタ４の下方に、フィルタ４により分離された細塵を溜める細塵室５と、フィルタ３の下方に、フィルタ３とフィルタ４との間の流路と比較して開口断面積が狭くなるように、フィルタ４との間に比較的狭い隙間ａ６を空けた位置に舞い上げ気流防止壁７が、フィルタ３の保持手段を兼ねる形で構成されている（例えば、特許文献１参照）。
【０００３】
上記構成において、吸引口２から吸引された塵埃を含む空気は、まず、フィルタ３によって粗塵が取り除かれて通過し、さらに細塵はフィルタ４によって取り除かれて下流へと通過する。この際、フィルタ４に付着、堆積した細塵は、除塵手段（図示せず）を動作させることによって、細塵室５に落ちていく。ここで、舞い上げ気流防止壁７を、フィルタ４と比較的狭い隙間ａ６を空けて配設することで、フィルタ３を通過した気流およびフィルタ３を通過した気流によって生じる乱流の影響が、細塵室５に及びにくくなることにより、細塵室５に溜まった細塵が風の流れによって舞い上げられ、フィルタ４に再び付着することを防ぐ構成となっている。
【０００４】
また、図１４に示すように、本体より取り外し自在な集塵ケース１１内に、塵埃と空気の慣性力の違いを利用して粗塵と空気とを分離する円錐形状の第１の塵埃分離手段１２と、第１の塵埃分離手段により分離された粗塵を溜めておく集塵室１３と、第１の塵埃分離手段１２および集塵室１３の下流に、細塵と空気とを分離するプリーツフィルタなどで構成される第２の塵埃分離手段１４と、第２の塵埃分離手段１４の下方に、第２の塵埃分離手段１４により分離された細塵を溜める細塵室１５とを有し、集塵室１３の壁面１６と第２の塵埃分離手段１４との間に比較的狭い隙間ｂ１７を空けて細塵室１５と連通しているものもある（例えば、特許文献２参照）。
【０００５】
上記構成において、塵埃を含む空気は、円錐形状の第１の塵埃分離手段１２によって、粗塵を含む空気（矢印Ｃ）と細塵を含む空気（矢印Ｄ）とに分離される。これは、粗塵は自身の持つ慣性力により直進し、細塵は円錐の周方向に回転しながら第１の塵埃分離手段１２の外側に吐き出されるものである。そして、粗塵を含む空気Ｃは集塵室１３に導かれ、粗塵はそのまま集塵室１３に、空気は集塵室１３の上部に設けられた開口部１８より出て、細塵を含む空気Ｄとともに第２の塵埃分離手段１４へ導かれる（矢印Ｅ２）。
【０００６】
この第２の塵埃分離手段１４によって細塵を取り除き下流へと通過させる。この際、第２の塵埃分離手段１４に付着、堆積した細塵は、除塵手段（図示せず）を動作させることによって、細塵室１５に落ちていく。ここで、集塵室１３の壁面１６を、第２の塵埃分離手段１４と比較的狭い隙間ｂ１７をあけて配設することで、第１の塵埃分離手段１２を通過した気流（矢印Ｄ）および集塵室１３の上部に設けられた開口部１８より出た気流（Ｅ２）によって生じる乱流の影響が、細塵室１５内に及びにくくなることにより、細塵室１５に溜まった細塵が風の流れによって舞い上げられ、第２の塵埃分離手段１４に再び付着することを防ぐ構成となっている。
【特許文献１】実公昭５５−２５０２２号公報
【特許文献２】特開２００４−１４７９５１号公報
【発明の開示】
【発明が解決しようとする課題】
【０００７】
しかしながら、前記従来の構成では、図１３の矢印Ｅ１および図１４の矢印Ｅ２で示すように空気の流れは広がっていくため、細塵室５および１５に溜まる細塵が舞い上がらないようにするためには、細塵室５および１５を空気の流れＥ１およびＥ２から遠ざける必要があるため、装置が大型化するという課題を有していた。
【０００８】
また、特許文献２ではさらに、集塵室１３の上部以外に開口部を設けると、壁面１６の上を通らない流れが生じ、細塵室１５へ空気が流れ込んで細塵室１５に溜まった細塵が舞い上がってしまうため、集塵室１３の上部のみにしか開口部１７を設けることができないため、圧損が高くなり、掃除機としての吸込み性能を低下させてしまうという課題を有していた。
【課題を解決するための手段】
【０００９】
前記従来の課題を解決するために、本発明の電気掃除機は、電動送風機を内包する本体と、前記電動送風機の上流側に設置され電動送風機により吸引した塵埃を含む空気を導入する集塵ケースと、この集塵ケース内の吸引経路に配置され吸引した塵埃を含む空気より粗塵を分離する第１の塵埃分離手段と、前記集塵ケースの本体部に着脱可能に設けられこの第１の塵埃分離手段を通過した塵埃を分離する第２の塵埃分離手段と、前記第２の塵埃分離手段の略下方になるよう前記集塵ケースの本体部に設けられた前記第２の塵埃分離手段で分離した細塵を溜める細塵室とを有し、前記細塵室の上流に、前記第１の塵埃分離手段と前記第２の塵埃分離手段との間の流路の一部を塞ぐ舞い上げ気流防止板を設け、前記第１の塵埃分離手段と前記舞い上げ気流防止板との間に細塵が入るのを防ぐ細塵入り込み防止手段を設けたことを特徴としたものである。
【００１０】
この舞い上げ気流防止板によって、空気の流れを上方に変向させることにより、空気の流れが細塵室から離れるため、細塵室と空気の流れとの距離を大きく離すよう構成する必要がないので、装置を小型化できる。また、集塵室の上部以外に開口部を設けても、舞い上げ気流防止板によって、空気の流れが上方に変向されるため、集塵ケース内を流れる気流や集塵ケース内で発生する乱流の影響が細塵室内に及びにくい構成することができるので、圧損を低減させ、掃除機本体の吸込み性能を向上させることができる。
【００１１】
さらに、細塵入り込み防止手段によって、第１の塵埃分離手段と舞い上げ気流防止板との間に細塵が入りにくくすることにより、第１の塵埃分離手段と舞い上げ気流防止板との間に入った細塵が風の流れによって舞い上がり、第２の塵埃分離手段に再付着して圧損となることを低減することができる。
【発明の効果】
【００１２】
本発明の電気掃除機は、細塵室に溜まった細塵が舞い上がり、フィルタに再付着することを低減させ、フィルタの目詰まりによる吸込み性能の低下を防止することができる。
【発明を実施するための最良の形態】
【００１３】
第１の発明は、舞い上げ気流防止板によって、集塵ケース内を流れる気流や集塵ケース内で発生する乱流の影響を細塵室内に及びにくくすることで、細塵室にたまった細塵が舞い上がり、第２の塵埃分離手段に細塵が再付着することを低減させることができるとともに、細塵入り込み防止手段により、第１の塵埃分離手段と舞い上げ気流防止板との間に細塵が入り込むのを防ぐことが可能であるため、第１の塵埃分離手段と舞い上げ気流防止板との間に入った細塵が風の流れによって舞い上がり、第２の塵埃分離手段に再付着することを低減することができる。
【００１４】
第２の発明は、細塵入り込み防止手段を、第１の塵埃分離手段と舞い上げ気流防止板の間に設けられ、ネット部を有することにより、簡単な構成で第１の塵埃分離手段と舞い上げ気流防止板との間に細塵が入り込むことを低減することができる。
【００１５】
第３の発明は、ネット部を第１の塵埃分離手段から舞い上げ気流防止板にむけて下方に傾斜するよう構成することにより、ネット部の上に乗った細塵を細塵室へ自重などにより滑り落とすことで移動させることが可能となるため、ネット部の上に乗った細塵が風の流れによって舞い上がり、第２の塵埃分離手段に再付着することを低減することができる。
【００１６】
第４の発明は、舞い上げ気流防止板の少なくとも一部を、上部が第１の塵埃分離手段寄りになるよう傾斜させることにより、第１の塵埃分離手段と舞い上げ気流防止板との間に細塵が入り込みことを低減することができる。
【００１７】
第５の発明は、第２の塵埃分離手段を略垂直に構成する、または、上部が舞い上げ気流防止板から離れるよう傾斜した構成とすることにより、第２の塵埃分離手段から自重などにより落ちる細塵が、舞い上げ気流防止板を飛び越えて、第１の塵埃分離手段と舞い上げ気流防止板との間に入り込むことを低減することができる。
【００１８】
第６の発明は、第２の塵埃分離手段と舞い上げ気流防止板の間に隙間を設けて構成することにより、第２の塵埃分離手段から自重などにより落ちる細塵が、舞い上げ気流防止板を飛び越えて、第１の塵埃分離手段と舞い上げ気流防止板との間に入り込むことを低減することができる。
【００１９】
以下、本発明の実施の形態について、図面を参照しながら説明する。なお、本実施の形態によって本発明が限定されるものではない。
【００２０】
（実施の形態１）
図１は、本発明の第１の実施の形態における電気掃除機の全体図を示すものである。
【００２１】
図１に示すように、電気掃除機本体２０内には、吸引気流を発生させる電動送風機２１が内蔵されており、電動送風機２１の上流側には、電動送風機２１により吸引した塵埃を含む空気を導入する集塵ケース２２が電気掃除機本体２０に対して着脱自在に設置されている。さらに、電気掃除機本体２０には、吸引ホース２３、延長管２４が順次接続されており、延長管２４の先端に吸込具２５を取り付けており、電動送風機２１を運転することにより、家屋内の床面上の塵埃を吸引することができる。
【００２２】
集塵ケース２２を本体２０の横方向から見た構成を示す側断面図を図２に示す。
【００２３】
集塵ケース２２は、流入口３１と細塵室３２と絞り部３３と舞い上げ気流防止板３４とを有する集塵ケース本体部３５と、第１の塵埃分離手段３６と、第２の塵埃分離手段３７とで構成され、図３（ａ）、（ｂ）に示すように、集塵ケース本体部３５に第２の塵埃分離手段３７が着脱自在に取り付けられるよう構成されている。このことにより、第２の塵埃分離手段３７を集塵ケース本体部３５から分離することにより、集塵ケース本体部３５内部や第２の塵埃分離手段３７をお手入れすることが可能となっている。
【００２４】
第１の塵埃分離手段３６には、網目状のフィルタ３８が備えられ、このフィルタ３８のろ過作用によって粗塵と空気とを分離している。第２の塵埃分離手段３７は、目の細かいプリーツフィルタなどで構成され、第１の塵埃分離手段３６を通過した細塵と空気とを、同じくろ過作用によって分離する。
【００２５】
ここで、図２に示すように第１の塵埃分離手段３６の下流側の壁面に設けられたフィルタ３８は第１の塵埃分離手段３６の下端部から距離ｔ１０１だけ高い位置から設けられている。なお、本実施の形態では、第１の塵埃分離手段３６および第２の塵埃分離手段３７は、ろ過作用によって塵埃と空気とを分離する構成としているが、例えば、遠心力作用によって分離するサイクロン方式や、塵埃と空気の慣性力の違いを利用する慣性分離方式など他の分離手段を用いても良い。
【００２６】
細塵室３２は、第２の塵埃分離手段３７を集塵ケース本体部３５に取付けた際に、第２の塵埃分離手段３７の略下方に位置するよう設けられており、電気掃除機を使用中に第２の塵埃分離手段３７に付着した細塵が、電気掃除機使用後に細塵自身の重力あるいは第２の塵埃分離手段をたたくなどして付着した細塵を落とす除塵手段（図示せず）によって落されたものを溜めておく構成となっている。
【００２７】
さらに、図２に示すように細塵室３２の上方には、細塵室３２への空気の流れを妨げる絞り部３３が、細塵室３２の上流側壁面３９から隙間ｆ１０２だけ距離を空けた位置まで、絞り部３３の上に乗った細塵が細塵室３２へ滑り落ちるような傾斜をつけて設けられている。なお、本実施の形態では、図４（ａ）に示すように、絞り部３３を、細塵室３２の上流側壁面３９から下方に傾斜するよう設け、隙間ｆ１０２を細塵室３２の下流側に設定する構成としたが、図４（ｂ）に示すように、前記絞り部３３に加え、細塵室３２下流側端部４０から下方に傾斜する第２絞り部４１を設ける構成としてもよい。
【００２８】
また、図４（ｃ）に示すように、第２絞り部４１を、細塵室３２の下流側壁面４２から、絞り部３３とオーバーラップするよう互い違いに設ける構成としても良い。いずれの場合でも、絞り部３３の上に乗った細塵が細塵室３２へ滑り落ちるような傾斜をつけること、細塵室３２へ細塵が入り込む隙間を空けておくことを満たせば同様の効果を得ることができる。
【００２９】
また、細塵室３２は図３（ａ）に示すように仕切り板４３によって複数の部屋に分かれている。同様に、第２の塵埃分離手段３７下部にも図３（ｂ）に示すように、仕切りリブ４４が設けられ、第２の塵埃分離手段３７を集塵ケース本体部３５に取り付けた際に、仕切り板４３と仕切りリブ４４が同じ位置に合わさり、それぞれの部屋をまたがった気流Ｇ１が生じにくい構成としている。
【００３０】
なお、細塵室３２の下、すなわち仕切り板４３の下部の隙間を流れる気流Ｇ２に対しては、仕切り板４３の下部に隙間ができないようにシールすることで、それぞれの部屋をまたがった気流Ｇ２が生じにくい構成としている。また、仕切り板４３によって、細塵室３２を細分化することにより、細塵室３２のそれぞれの部屋の中の気圧差で生じる横方向の気流Ｇ３を生じにくい構成としている。
【００３１】
そして、細塵室３２の上流に、第１の塵埃分離手段３６と第２の塵埃分離手段３７との間の流路の一部を塞ぐ舞い上げ気流防止板３４が細塵室３２の上流側壁面３９を延長する形で設けられている。
【００３２】
また、図２に示すように、ネット部４５を有する細塵入り込み防止手段４６が、第１の塵埃分離手段３６から舞い上げ気流防止板３４に向けて下方に傾斜するように構成されている。この細塵入り込み防止手段４６により、第２の塵埃分離手段３７に付着した細塵や、集塵ケース２２内に浮遊する細塵などを、第１の塵埃分離手段３６と舞い上げ気流防止板３４との間の隙間部４７に入りにくい構成としている。
【００３３】
以上のように構成された電気掃除機について、以下その動作、作用を説明する。
【００３４】
電動送風機２１を運転開始すると、吸込み気流が発生し、吸込具２５、延長管２４、吸引ホース２３を通じて、床面からの塵埃が集塵ケース２２内に吸い込まれる。集塵ケース２２内に入った塵埃と空気は、まず、第１の塵埃分離手段３６によって粗塵と空気とに分離される。これは、粗塵は、第１塵埃分離手段３３に備えられた網目状のフィルタ３８を通過できないろ過作用によるものである。
【００３５】
第１の塵埃分離手段３６によって分離された粗塵は、そのまま第１の塵埃分離手段３６内の集塵室４８に溜めておく構成となっている。このように、第１の塵埃分離手段３６内の空間を、粗塵を溜めておく集塵室４８として用いることにより、装置の小型化を図ることができるとともに、第１の塵埃分離手段３６から集塵室４８への粗塵の移送手段が不要となるため、構成を単純化することができる。
【００３６】
次に舞い上げ気流防止板３４について説明する。
【００３７】
第１の塵埃分離手段３６を通過した細塵と空気は、図２の矢印Ｈのように舞い上げ気流防止板３４によって上方に変向される。また、第１の塵埃分離手段３６上部に設けられたフィルタ３８ｂを通過した細塵と空気は、図２の矢印Ｉのように、矢印Ｈの流れによって、上方に変向される。このように、空気の流れを細塵室３２から遠ざけることによって、細塵室３２を空気の流れから遠ざけるために下方に大きく距離を開けた位置に設ける必要が無いため、装置の小型化を実現することができる。
【００３８】
図２に示すように、舞い上げ気流防止板３４は、第１の塵埃分離手段３６のフィルタ３８ｃの上端よりも距離ｊ１０３だけ高い位置まで設けられている。このことにより、第１の塵埃分離手段の下流側の面のフィルタ３８ｃを通った全ての気流が舞い上げ気流防止板３４によって上方に変向するため、舞い上げ気流防止板３４上端部で巻き込むように下向きに発生する乱流の影響が細塵室３２まで及びにくいので、細塵室３２内に溜まった細塵が舞い上がることを低減させることができる。なお、細塵室３２が空気の流れと十分に離れた位置に設けられている場合は、舞い上げ気流防止板３４をフィルタ３８の上端と同じ高さになるよう設けても良い。
【００３９】
また、逆に、舞い上げ気流防止板３４を、図５に示すように、第１の塵埃分離手段３６のフィルタ３８ｃの上端よりも距離ｋ１０４だけ低い位置まで設ける構成としても良い。この場合でも、矢印Ｍで示す舞い上げ気流防止板３４により上方へ変向した風によって、矢印Ｌで示すようにフィルタ３８の上の方を通った風の流れも上方に変向されるため、舞い上げ気流防止板３４を第１の塵埃分離手段３６のフィルタ３８ｃの上端よりも高い位置まで設ける構成とした場合よりは効果は低下するものの、細塵室３２が空気の流れから十分に離れていれば、乱流の影響が細塵室３２に及びにくいので、細塵室３２内に溜まった細塵の舞い上がりを防止することが可能である。
【００４０】
さらに、図５に示すように舞い上げ気流防止板３４をフィルタ３８ｃの上端よりも低い高さになるよう設けた場合には、舞い上げ気流防止板３４に風が当たることによる圧損を低減させることや、舞い上げ気流防止板３４上部の空間を確保することにより圧損を低減させることなどの効果を得ることができる。また、図６に示すように、細塵入り込み防止手段４６をフィルタ３８ｃの一部にかかる位置から設けることにより、細塵入り込み防止手段４６によって、第１の塵埃分離手段３６およびフィルタ３８ｃを補強する構成としても良い。
【００４１】
また、仮に、舞い上げ気流防止板３４を用いずに、集塵室４８の第２の塵埃分離手段３７側のフィルタ３８ｃを壁面とし、集塵ケース２２内を流れる気流や集塵ケース２２内で発生する乱流から細塵室３２を遠ざけることで細塵室３２内に溜まった細塵の舞い上がりを低減させようとすると、フィルタ３８は、第１の塵埃分離手段３６の上方面のフィルタ３８ｂしか設けることができず、圧損が高くなり、電気掃除機の吸込み力が弱くなってしまう。これは、第１の塵埃分離手段３６の側面や上流側の面にフィルタ３８ａを設けると、第１の塵埃分離手段３６の側面を通って細塵室３２に風が流れ込んでしまい、細塵が舞い上がって第２の塵埃分離手段３７に付着してしまうからである。
【００４２】
また、集塵室４８内の粗塵が使用時に舞い上がってフィルタ３８に付着するため、フィルタ３８が上方面のみに設けられている場合、すぐにフィルタ３８が塞がってしまい、こまめな手入れを必要としてしまうという課題も生じる。
【００４３】
しかし、本実施の形態のように、舞い上げ気流防止板３４によって、細塵室３２内に溜まった細塵が第２の塵埃分離手段３７に付着することを防ぐ構成とする場合、フィルタ３８を第１の塵埃分離手段３６の上方のみに設ける構成とする必要が無く、フィルタ３８を第１の塵埃分離手段の上流側の面、下流側の面、側面にも設ける構成としても、舞い上げ気流防止板３４によって上方に気流が変向されるため、集塵ケース２２内を流れる気流や集塵ケース２２内で発生する乱流を細塵室３２から遠ざけられるので、細塵室３２内に溜まった細塵の舞い上がり低減効果を得ることができる。
【００４４】
そのため、フィルタ３８の総面積を広く取ることが可能であるため、圧損を低減できる。さらに、本実施の形態のように第１の塵埃分離手段３６内の空間を集塵室４８とする構成としても、フィルタ３８の総面積が大きいため、集塵室４８に溜まった粗塵が舞い上がってフィルタ３８の一部を塞いでしまっても、塞がってない部分を風が流れることができるため、圧損が大幅に増えて電気掃除機の吸込み力が急激に低下することを回避することができる。
【００４５】
そして、第１の塵埃分離手段３６では分離し切れなかった細塵を含んだ空気は、プリーツフィルタで構成された第２の塵埃分離手段３７によって、細塵と空気とに分離される。これは、第１の塵埃分離手段３６と同様に、プリーツフィルタに細塵が引っかかり、空気のみが通過するろ過作用によるものである。そして、第２の塵埃分離手段３７を通過した空気が電動送風機２５に吸込まれる構成になっている。
【００４６】
ここで、図２に示すように、舞い上げ気流防止板３４の上端部を、第２の塵埃分離手段３７の下端よりも距離ｎ１０５だけ高い位置まで設けることにより、風の流れが矢印Ｐのように、舞い上げ気流防止板３４を超えて下方向に広がっても、第２の塵埃分離手段３７の下の空間に当たることなく、第２の塵埃分離手段であるプリーツフィルタ３４を風が通過するため、細塵室３２への風の流入を防ぐことができる。
【００４７】
なお、圧損をできるだけ低減させることを目的とした場合は、図５に示すように、舞い上げ気流防止板３４を第２の塵埃分離手段３７よりも距離ｑ１０６だけ低い高さ、あるいは、第２の塵埃分離手段３７と同じ高さまで設ける構成としても良い。この場合でも、舞い上げ気流防止板３４により、空気の流れが上方向に押し上げられているため、図５の矢印Ｌで示すように、第２の塵埃分離手段３７の下部壁面にぶつかる気流が少ないこと、さらにぶつかった気流のほとんどが矢印Ｒのように、第２の塵埃分離手段３７へ吸込まれていくため、図２に示すように、舞い上げ気流防止板３４を第２の塵埃分離手段３７の下端よりも高い位置まで構成した場合ほどではないが、舞い上がり低減効果を得つつ、圧損を低減することができる。
【００４８】
なお、本実施の形態のように、細塵室３２の上部に絞り部３３を設ける構成とした場合、図５に示すように舞い上げ気流防止板３４を第２の塵埃分離手段３７の下端よりも低い位置までしか設けない場合でも、細塵室３２に気流が流れ込みにくくなるため、細塵室３２に溜まった細塵の舞い上がりによる第２の塵埃分離手段３７への細塵の再付着を防止することができる。
【００４９】
次に、電動送風機２１の運転を停止すると、電気掃除機は塵埃の吸い込みを停止する。そして、第２の塵埃分離手段３７に付着した細塵は、重力、あるいは除塵手段（図示せず）によって、第２の塵埃分離手段３７の下方に設けられた細塵室３２に落下し、細塵室３２に溜められていく。
【００５０】
ここで、図２に示すように、絞り部３３を細塵室３２の上流側壁面３９から設け、隙間ｆ１０２を細塵室３２の下流側に設定することにより、第２の塵埃分離手段３７から落ちる細塵の多くを隙間ｆ１０２を通して細塵室３２へ落とすことができる。また、絞り部３３の上に落ちた細塵は、絞り部３３に設けられた傾斜を滑り落ちて、細塵室３２内に入る構成となっている。
【００５１】
このように、第２の塵埃分離手段３７から落ちた細塵の多くを隙間ｆ１０２を通して細塵室３２へ落とすことにより、軽い細塵や湿った細塵など傾斜を滑り落ちにくい細塵が、絞り部３６の上に堆積してしまうのを避けることができる。さらに、前述したように、舞い上げ気流防止板３４により、細塵室３２底面方向へ気流が流れにくくしているため、隙間ｆ１０２を大きめに設けても、細塵室３２に溜まった細塵の舞い上がりが生じにくいため、隙間ｆ１０２に細塵が詰まって細塵室３２へ細塵が入らなくなるのを防ぐことができる。
【００５２】
なお、細塵室３２の深さが浅い場合など、絞り部３３の傾斜角度を大きく取れないことにより、絞り部３３の上に乗った細塵が細塵室３２まで滑り落ちきらずに、絞り部３３の上に堆積してしまうような場合は、図４（ｂ）に示すように、細塵室３２下流側端部４０から第２絞り部４１を追加する構成としても良い。第２絞り部４１を追加することにより、絞り部３３および第２絞り部４１の長さを短くしても、図４（ａ）に示す絞り部３３と同様の隙間ｆ１０２を設定することが可能である。
【００５３】
絞り部３３および第２絞り部４１の長さを短くできるため、細塵室３２の深さが浅くても傾斜角度を深くできるとともに、絞り部３３の上に堆積しにくくなるため、絞り部３３および第２絞り部４１の上に細塵が滑り落ちずに堆積し、その細塵が舞い上がってしまう問題を低減することができる。なお、本字実施の形態では、図４（ｂ）に示すように、第２絞り部４１を細塵室３２の下流側端部４０から設ける構成としたが、細塵室３２の下流側壁面４２から設けても良い。
【００５４】
ここで、図２に示すように、第２の塵埃分離手段３７に付着した細塵が、重力あるいは除塵手段により勢い良く飛び散り、第１の塵埃分離手段３６と舞い上げ気流防止板３４との間の隙間部４７に入ると、掃除機を使用した際、矢印Ｈの風の流れによって隙間部４７に入り込んだ細塵が舞い上がり、第２の塵埃分離手段３７に再付着して圧損を増加させてしまうことになる。
【００５５】
しかし、本実施の形態では、細塵入り込み防止手段４６を、第１の塵埃分離手段３６と舞い上げ気流防止板３４との間に設けていることにより、第２の塵埃分離手段３７から細塵が勢いよく飛び散って舞い上げ気流防止板３４を飛び越えても、第１の塵埃分離手段３７と舞い上げ気流防止板３４との間の隙間部４７に入り込みにくい構成としているため、隙間部４７に入り込んだ細塵が舞い上がり第２塵埃分離手段に３７に再付着してしまうことを低減することができる。
【００５６】
そして、細塵入り込み防止手段４６を第１の塵埃分離手段３６から舞い上げ気流防止板３４に向けて下方に傾斜するように構成しているため、細塵入り込み防止手段４６の上に落ちた細塵は、細塵入り込み防止手段４６の傾斜を滑り落ちて細塵室３２内に入る構成となっている。また、本実施の形態では、細塵入り込み防止手段４６にネット部４５を設けて、風路圧損が増加しにくい形態で、舞い上げ気流防止板３４と第１の塵埃分離手段３６との間の隙間部４７に細かいゴミが入り込みにくい構成としている。
【００５７】
なお、初期の吸い込み力よりも、吸い込み力の持続性を重視する場合には、図７、図８に示すように、第１の塵埃分離手段３６に、舞い上げ気流防止板３４から距離ｓ１０７だけ離した位置まで、下端が舞い上げ気流防止板３４よりも距離ｔ１０８だけ高くなるように舞い上げ気流防止板３４方向に向けて下方に傾斜する板状の細塵入り込み防止手段４９を設けても良い。
【００５８】
この場合、ネット部４５を用いた場合よりも圧損が大きくなり、初期の吸い込み力は低下するが、細塵が隙間部４７に、より入りにくくなるため、隙間部４７に入り込んだ細塵が舞い上がり、第２の塵埃分離手段３７へ再付着して、圧損が増加することを防ぐことができるため、吸い込み力の持続性は向上する。
【００５９】
なお、図９に示すように細塵入り込み防止手段４９が舞い上げ気流防止板３４の上方まで伸びる構成とし、隙間部４７に、より細塵が入り込みにくい構成としても良い。さらに、細塵入り込み防止手段４９が舞い上げ気流防止板３４の先まで伸びる構成としても良い。
【００６０】
また、細塵入り込み防止手段４９をフィルタ３８ｃの一部にかかる位置から設けることにより、細塵入り込み防止手段４９によって、第１の塵埃分離手段３６およびフィルタ３８ｃを補強する構成としても良い。
【００６１】
さらに、本実施の形態では、図２に示すように、舞い上げ気流防止板３４と第２の塵埃分離手段３７との間に隙間ｕ１０９を空けることにより、第２の塵埃分離手段３７に付着した細塵が飛び散っても、舞い上げ気流防止板３４を飛び越えて第１の塵埃分離手段３６と舞い上げ気流防止板３４の間に入り込みにくい構成としている。
【００６２】
ここで、仮に、図１０に示すように、第２の塵埃分離手段３７の上部が、上流側すなわち舞い上げ気流防止板３４側に近づくように傾斜させると、第２の塵埃分離手段３７上部から落ちた細塵が、隙間部４７に入り込みやすくなってしまうので、本実施の形態では、図２に示すように、第２の塵埃分離手段３７が略垂直になるよう設置している。
【００６３】
なお、図１１に示すように、第２の塵埃分離手段３７の上部が、下流側すなわち舞い上げ気流防止板３４から離れるように傾斜させることで、第２の塵埃分離手段３７から落ちた細塵が、舞い上げ気流防止手段３４を飛び越えて隙間部４７に、さらに入り込みにくくすることができる。
【００６４】
そして、再び電動送風機２１の運転を開始すると、再び集塵ケース２２内に気流が発生する。この気流が細塵室３２に流れ込んだり、この気流によって発生する乱流の影響が細塵室３２にまで及んだりすると、細塵室３２内に溜まった細塵が舞い上げられ、第２の塵埃分離手段３７に付着してしまう。そのため、第２の塵埃分離手段３７が目詰まりを起こしてしまい、圧損が増加することによって、電気掃除機の吸込み力が低下してしまう。しかし、本実施の形態では、舞い上げ気流防止板３４や絞り部３３によって集塵ケース２２内を流れる気流や集塵ケース２２内で発生する乱流の影響が細塵室３２内まで及びにくいので、細塵室３２内に溜まった細塵の舞い上がりが生じにくいため、電気掃除機の吸い込み力低下が起こりにくい。
【００６５】
なお、図４（ｃ）に示すように絞り部３３と第２絞り部４１を互い違いに設けることにより、集塵ケース２２内を流れる気流や集塵ケース２２内で発生する乱流の影響を、細塵室３２内に、より及ぼしにくくすることができるので、細塵室３２内に溜まった細塵の舞い上がり防止効果を高めることができる。なお、本実施の形態では、図４（ｃ）に示すように第２絞り部４１を下流側壁面４２から設ける構成としたが、第２絞り部４１を下流側端部４０から設けても良い。
【００６６】
また、本実施の形態では、絞り部３３や舞い上げ気流防止板３４以外にも、細塵室３２の細塵が舞い上がり、第２の塵埃分離手段に付着することを防止する舞い上げ横気流防止手段が設けられている。
【００６７】
集塵ケース２２内の気圧は場所によって異なっているため、その気圧差によって、図３（ａ）の矢印Ｇ１、Ｇ２、Ｇ３のように、電気掃除機本体２０から見て横方向の気流の流れも発生する。これらの横方向の気流の流れも細塵室３２内の細塵を舞い上がらせる原因となるため、これらを防ぐ対策が必要となる。
【００６８】
まず、細塵室３２の上を横方向に流れる気流Ｇ１に対しては、前述したように第２の塵埃分離手段３７を集塵ケース本体部３５に取り付けた際に、細塵室３２に設けられた仕切り板４３と、第２の塵埃分離手段３７の下部に設けられた仕切りリブ４４が同じ位置に合わさる構成とすることで、それぞれの部屋をまたがった気流Ｇ１が生じないようにしている。このような舞い上げ横気流防止手段を設けることで、細塵室３２に溜まった細塵の上部表面をなめるように流れる気流Ｇ１によって、細塵が舞い上がるのを低減させることができるため、特に細塵室３２の深さが浅い場合や、第２の塵埃分離手段３７と細塵室３２との距離が近い場合に効果的である。
【００６９】
次に、仕切り板４３の下部の隙間を流れる気流Ｇ２に対しては、細塵室３２の底を構成する後述する廃棄扉５０に、ゴム製のシート５１を備えさせ、仕切り板４３の下部に隙間ができないようにシールすることで、それぞれの部屋をまたがった気流Ｇ２が生じないようにしている。このような舞い上げ横気流防止手段を設けることで、細塵室３２に溜まった細塵の底面を流れる気流Ｇ２によって、細塵室３２に溜まった細塵が沸き立つように舞い上がるのを低減させることができるため、特に細塵室３２に溜まった細塵が軽いときや細塵室３２の深さが浅い場合に効果的である。
【００７０】
なお、仕切り板４３によって区分けされた細塵室３２のそれぞれの部屋の幅が広すぎると、区分けされたそれぞれの部屋の中で気圧の差により横方向の気流Ｇ３が生じてしまい、この横方向の風Ｇ３によって細塵室３２内の細塵が舞い上がるという問題が生じてしまうため、仕切り板４３によって細塵室を複数の部屋に分割している。
【００７１】
このような舞い上げ横気流防止手段を設けることで、細塵室３２のそれぞれの部屋の幅を狭くすることで、気圧の差を減らし、細塵の舞い上げを低減させることができる。この際、舞い上げ横気流防止手段の効果を有効に得るためには、分割される細塵室３２のそれぞれの部屋の幅は４０ｍｍ以下、より好ましくは２０ｍｍ以下にすると良い。また、逆に狭すぎると糸くずなどが細塵室３２内に落ちずに引っかかる可能性があるため、細塵室３２のそれぞれの部屋の幅は５ｍｍ以上にすると良い。
【００７２】
また、本実施の形態のように、舞い上げ気流防止板３４を設けることにより、空気の流れを細塵室３２から離すことが可能であるため、本体横方向の風の流れが生じることを低減させることができるため、前述の舞い上げ横気流防止手段の効果をそれぞれ高めることが可能となる。
【００７３】
そして、集塵室４６や細塵室３２に塵埃が溜まったら、使用者が集塵ケース２２を掃除機本体２０から取り出して、集塵ケース２２底部を構成する廃棄扉５０を開くことによって、集塵室４６と細塵室３２の底面部、および、第１の塵埃分離手段３６と舞い上げ気流防止板３４との間の隙間部４７の底面部が開放され、それぞれの室に溜まった塵埃を廃棄する構成となっている。
【００７４】
このように、廃棄扉５０を開くことによって、集塵室４６内や細塵室３２内の塵埃と、第１の塵埃分離手段３６と舞い上げ気流防止板３４との間の隙間部４７に入り込んだ細塵とを、一緒に廃棄可能な構成とすることにより、ネット部４５を細塵が通過してしまっても、集塵室４６や細塵室３２に溜まった塵埃を廃棄するたびに隙間部４７に入り込んだ細塵も廃棄することができるので、隙間部４７に入り込んだ細塵が気流Ｈによって舞い上がり、第２の塵埃分離手段３７に付着する可能性を低減させることができる。
【００７５】
また、絞り部３３を不透明部材で構成した場合、細塵室３２に細塵が溜まっているかどうかが使用者にわかりにくくなってしまうため、絞り部３３はアクリルやポリカなどの透明部材で構成することが望ましい。このことにより、使用者に細塵室３２に細塵が溜まっていることを認識してもらいやすくなり、ごみすてを使用者に促すことで細塵室３２に細塵が大量に溜まることを防ぐことが可能であり、舞い上がり防止効果を高めることができる。
【００７６】
以上のように、本実施の形態では、舞い上げ気流防止板３４によって、集塵ケース２２内を流れる気流や集塵ケース２２内で発生する乱流の影響が細塵室３２内まで及びにくくすることにより、細塵室３２内に溜まった細塵の舞い上がりが生じにくいため、細塵が細塵が第２の塵埃分離手段３７に再付着して、第２の塵埃分離手段３７が目詰まりを起こしてしまい、圧損が増加することによって、電気掃除機の吸込み力が低下するという問題を防ぐことができる。
【００７７】
さらに、第２の塵埃分離手段３７に付着した細塵が、重力あるいは除塵手段により勢い良く飛び散っても、細塵入り込み防止手段４６によって、第１の塵埃分離手段３６と舞い上げ気流防止板３４との間の隙間部４７に細塵が入りにくいため、隙間部４７に入り込んだ細塵が気流によって舞い上がり、第２の塵埃分離手段３７に再付着して圧損を増加することを低減させることができる。
【００７８】
このような構成は、圧損低減対策として、図５に示すように舞い上げ気流防止板３４を第１の塵埃分離手段３６よりも距離ｋ１０４低い高さとした場合やあるいは第２の塵埃分離手段３７よりも距離ｑ１０６低い高さとした場合など、舞い上げ気流防止板３４を飛び越えて細塵が第１の塵埃分離手段３６と舞い上げ気流防止板３４との間の隙間部４７に入り込みやすい構成とした場合に、特に有効である。
【００７９】
（実施の形態２）
図１２は、本発明の第２の実施の形態の集塵ケース６１を横から見た構成図である。
【００８０】
本実施の形態が、実施の形態１と異なる点は、舞い上げ気流防止板６２を、上側が第１の塵埃分離手段６３寄りになるよう傾斜されており、これを細塵入り込み防止手段としている点である。その他は図２に示した実施の形態１と同様であり、同一番号を付して詳細な説明を省略する。
【００８１】
図１２に示すように、舞い上げ気流防止板６２が、上側が第１の塵埃分離手段６３寄りになるよう傾斜していることにより、舞い上げ気流防止板６２の上部を第２の塵埃分離手段３７から離すことが可能であるため、第２の塵埃分離手段３７に付着した細かいゴミが重力、あるいは除塵手段により勢いよく飛び散っても、第１の塵埃分離手段６３と舞い上げ気流防止板６２との間の隙間４７内に細塵が入りにくい構成となっている。
【００８２】
そのため、隙間４７内に入り込んだ細塵が、集塵ケース６１内を流れる気流Ｈによって舞い上げられ、第２の塵埃分離手段３７が目詰まりを起こしてしまい、圧損が増加することによる電気掃除機の吸い込み力を低減させることができる。
【産業上の利用可能性】
【００８３】
以上のように、本発明にかかる電気掃除機は、集塵ケース内の細塵室に溜まった細塵の舞い上がりによるフィルタ再付着を低減させ、フィルタの目詰まりによる吸込み性能が低下しにくい電気掃除機を提供することができるので、家庭用電気掃除機だけでなく、業務用電気掃除機などさまざまな種類の掃除機に使用することが可能となる。
【図面の簡単な説明】
【００８４】
【図１】本発明の実施の形態１における電気掃除機の全体図
【図２】同電気掃除機の集塵ケースの構成を示す側断面図
【図３】（ａ）同電気掃除機の集塵ケースの構成を示す背面斜視図（ｂ）同電気掃除機の第２の塵埃分離手段の斜視図
【図４】（ａ）同電気掃除機の集塵ケースの絞り部構成を示す要部断面図（ｂ）同電気掃除機の別形態の集塵ケースの絞り部構成を示す要部断面図（ｃ）同電気掃除機の別形態の集塵ケースの絞り部構成を示す要部断面図
【図５】同電気掃除機の別形態の集塵ケースの構成を示す側断面図
【図６】同電気掃除機の別形態の集塵ケースの構成を示す側断面図
【図７】同電気掃除機の別形態の集塵ケースの構成を示す側断面図
【図８】同電気掃除機の別形態の集塵ケースの構成を示す背面斜視図
【図９】同電気掃除機の別形態の集塵ケースの構成を示す側断面図
【図１０】同電気掃除機の別形態の集塵ケースの構成を示す側断面図
【図１１】同電気掃除機の別形態の集塵ケースの構成を示す側断面図
【図１２】本発明の実施の形態２における電気掃除機の集塵ケースの構成を示す側断面図
【図１３】従来の電気掃除機の構成を示す側断面図
【図１４】従来の電気掃除機の集塵ケースの構成を示す側断面図
【符号の説明】
【００８５】
２０  電気掃除機本体
２１  電動送風機
２２  集塵ケース
３２  細塵室
３４  舞い上げ気流防止板
３５  集塵ケース本体部
３６  第１の塵埃分離手段
３７  第２の塵埃分離手段
４５  ネット部
４６  細塵入り込み防止手段
４９  細塵入り込み防止手段
６２  舞い上げ気流防止板（細塵入り込み防止手段）
【図１】
2008264098.tif 000003
【図２】
2008264098.tif 000004
【図３】
2008264098.tif 000005
【図４】
2008264098.tif 000006
【図５】
2008264098.tif 000007
【図６】
2008264098.tif 000008
【図７】
2008264098.tif 000009
【図８】
2008264098.tif 000010
【図９】
2008264098.tif 000011
【図１０】
2008264098.tif 000012
【図１１】
2008264098.tif 000013
【図１２】
2008264098.tif 000014
【図１３】
2008264098.tif 000015
【図１４】
2008264098.tif 000016